(57)【要約】【課題】１種類の建具に用いて、溝深さの異なる２種類の下部レールに選択的に設置して走行できる。【解決手段】吊り戸７のスライダー２１は、吊り戸７の下部に設けて下部レール５に沿って摺動可能である。スライダー２１は、筐体に設けた中空のベース部２３に収納して進退可能に下方に突出するガイド２４を備えた。ガイド２４はばねによって下方に付勢され、下端側に設けた凸部２５とその両側で凸部２５より建具側に設けた肩部２６とを有する。ガイド２４の凸部２５は浅溝型の下部レールの底面を摺動する。ガイド２４は深溝型の下部レールのガイド溝１７ａ内に凸部２５を納め、肩部２６でガイド溝１７ａの両側の肩受け部１７ｂを摺動する。そのため、ガイド２４の凸部２５と肩部２６の一方を選択して浅溝型の下部レール及び深溝型の下部レールの一方に摺動させる。【選択図】図２
2016121507.tif 000002
【特許請求の範囲】
【請求項１】
建具の下部に設けられていて下部レールに沿って摺動可能な建具のスライダーであって、
前記スライダーは、下方に突出する凸部と、該凸部より建具側に設けた肩部とを備え、前記凸部と肩部の一方を選択的に前記下部レールに摺動させるようにしたことを特徴とする建具のスライダー。
【請求項２】
建具の下部に設けられたスライダーと該スライダーが摺動可能な下部レールとを備えた建具のスライダー機構であって、
前記スライダーは、下方に突出していて浅溝型の下部レールの底面を摺動する凸部と、該凸部より建具側に設けられていて深溝型の下部レールの肩受け部を摺動する肩部とを備え、前記凸部と肩部の一方を選択的に前記浅溝型の下部レール及び深溝型の下部レールの一方に摺動させるようにしたことを特徴とする建具のスライダー機構。
【請求項３】
前記浅溝型の下部レールの底面を摺動する前記凸部の先端面にはスリット溝が形成されている請求項２に記載された建具のスライダー機構。
【請求項４】
前記凸部と肩部の一方または両方は、前記下部レールに沿って摺動する面がその長手方向に凸曲面状に湾曲して形成されている請求項２または３に記載された建具のスライダー機構。
【発明の詳細な説明】
【技術分野】
【０００１】
本発明は、吊り戸や引き戸等のスライド可能な建具を下部レールに沿って走行させるための建具のスライダーと、スライダー及び下部レールを備えた建具のスライダー機構に関する。
【背景技術】
【０００２】
従来、吊り戸を下部レールに沿って走行させる吊り戸の下部スライダー装置として例えば特許文献１に記載されたものが提案されている。このスライダー装置は、吊り戸の下部を走行させる断面略Ｕ字状の凹部をなす下部レールの上部フランジ部に吊り戸の走行をガイドするつば部を設けている。また、下部レールの凹部内には吊り戸を方向転換させるための上方への傾斜面を有する浮かし部材が設けられている。
一方、吊り戸の下部に設けた下部スライダーには、その下部に設けたコマ部材の円盤部に下部レールのつば部に当接して摺動するガイド部が設けられ、ガイド部の中央には浮かし部材に乗り上げる乗り上げ部材が下方に突出して設けられている。
【０００３】
吊り戸の走行時において、吊り戸は上部スライダー装置で上レールに吊られて走行し、その際、下部スライダー装置は下部レールのつば部に沿って下部スライダーの円盤部が案内されて走行する。そして、下部レールの継ぎ目部分やコーナー部では、下部レールに設けた浮かし部材に下部スライダーの乗り上げ部材が乗り上げることで方向変換することができるとしている。
【先行技術文献】
【特許文献】
【０００４】
【特許文献１】特開２０１３−７６２５１号公報
【発明の概要】
【発明が解決しようとする課題】
【０００５】
ところで、下部スライダー装置において、隣り合う部屋同士を吊り戸で仕切るために、部屋間の床面に形成した仕切り溝に比較的深溝の下部レールを設けたり、ひとつの床面を吊り戸で複数の空間に仕切るために床面の上に比較的浅溝の下部レールを設置したりして、これらの下部レールに吊り戸を走行させて部屋や空間を仕切ることがある。
しかしながら、特許文献１に記載されたように、通常は吊り戸の下部に設けた下部レール走行用の下部スライダーはひとつの溝深さの下部レールのみにしか対応できなかった。そのため、吊り戸や引き戸等を、比較的深溝の下部レールや比較的浅溝の下部レールを走行させるためには２種類のスライダーを用意して吊り戸や引き戸に選択的に取り付けるしかなく、煩雑である上にコスト高になる欠点があった。
【０００６】
本発明は、このような課題に鑑みてなされたものであって、１種類の建具に用いて、溝深さの異なる複数種類の下部レールに選択的に設置して走行できるようにした建具のスライダーとスライダー機構を提供することを目的とする。
【課題を解決するための手段】
【０００７】
本発明による建具のスライダーは、建具の下部に設けられていて下部レールに沿って摺動可能な建具のスライダーであって、スライダーは、下方に突出する凸部と、該凸部より建具側に設けた肩部とを備え、凸部と肩部の一方を選択的に下部レールに摺動させるようにしたことを特徴とする。
本発明による建具のスライダーは、建具の下部に設けた凸部と肩部のいずれか一方を用いて、複数種類の下部レールのいずれかに当接させて摺動することができる。
【０００８】
本発明による建具のスライダー機構は、建具の下部に設けられたスライダーと該スライダーが摺動可能な下部レールとを備えた建具のスライダー機構であって、スライダーは、下方に突出していて浅溝型の下部レールの底面を摺動する凸部と、該凸部より建具側に設けられていて深溝型の下部レールの肩受け部を摺動する肩部とを備え、凸部と肩部の一方を選択的に浅溝型の下部レール及び深溝型の下部レールの一方に摺動させるようにしたことを特徴とする。
本発明による建具のスライダー機構において、建具に設けたスライダーの凸部を浅溝型の下部レールの底面に当接させて摺動させることができ、また深溝型の下部レールに対しては、深溝内に凸部を挿入すると共にこの深溝の肩受け部にスライダーの肩部を当接させて摺動させることができる。そのため、建具の１種類のスライダーで溝深さの異なる複数種類の下部レールのいずれかを選択して当該下部レールに沿って摺動させて建具を走行させることができる。
【０００９】
また、浅溝型の下部レールの底面を摺動する凸部の先端面にはスリット溝が形成されていることが好ましい。
浅溝型の下部レールの底面にごみ等の異物が存在することがあるが、その場合でも底面を摺動する凸部の先端面にスリット溝を設けたことで、異物がスリット溝に入り込んで凸部の先端面に付着することで摺動抵抗の増大を抑制できる。
【００１０】
また、凸部と肩部の一方または両方は、下部レールに沿って摺動する面がその長手方向に凸曲面状に湾曲して形成されていることが好ましい。
建具の凸部または肩部を下部レールに沿って摺動させる際、凸部と肩部の少なくとも一方を凸曲面状に形成することで摺動時の接触面積が小さくなり、摺動抵抗を低減できる。
【００１１】
なお、本発明における建具のスライダーは、中空のベース部の下部開口内からガイドを進退可能に突出させ、該ガイドの先端に凸部を突出させると共にこの凸部よりも建具側に肩部を設けている。その際、ベース部にはガイドをベース部の下部開口から突出する方向に付勢する弾性部材を設けることが好ましい。
【発明の効果】
【００１２】
本発明による建具のスライダーとスライダー機構によれば、１種類のスライダーに高さの異なる凸部と肩部を設けたため、深さの異なる複数種類の下部レールのいずれかに凸部と肩部の一方を選択的に装着して走行させることができる。
【図面の簡単な説明】
【００１３】
【図１】本発明の実施形態による吊り戸ユニットのスライダーを深溝型の下部レールに取り付けたスライダー機構を示す要部縦断面図である。
【図２】図１に示す吊り戸のスライダー機構の要部拡大図である。
【図３】吊り戸の下部に取り付けた下部スライダーを示すものであり、（ａ）は斜視図、（ｂ）は側面図である。
【図４】実施形態によるスライダーを示すものであり、（ａ）は縦断面図、（ｂ）は下面図、（ｃ）は同図（ａ）のＡ−Ａ線断面図である。
【図５】スライダーのガイドを示すものであり、（ａ）は同図（ｂ）におけるＢ−Ｂ線縦断面図、（ｂ）は平面図、（ｃ）は同図（ｂ）におけるＣ−Ｃ線縦断面図である。
【図６】吊り戸を戸枠に当接させる状態を示す下面から見た要部説明図である。
【図７】本発明の実施形態による吊り戸ユニットのスライダーを浅溝型の下部レールに取り付けたスライダー機構を示す要部縦断面図である。
【図８】図７に示す吊り戸のスライダー機構の要部拡大図である。
【発明を実施するための形態】
【００１４】
以下、本発明の実施形態による吊り戸ユニット１のスライダー機構２を図１乃至図８に基づいて説明する。
図１及び図２に示す実施形態による吊り戸ユニット１は、天井１０または欄間等に設けた上部レール３と床面４に設けた下部レール５とが対向して設けられ、上部レール３に吊られた吊り戸７が上部レール３と下部レール５に沿って走行して開閉可能とされている。
しかも、本実施形態において、下部レール５は図１に示すように部屋と部屋の間の仕切り部において床面４に形成した仕切り溝８内に設置した深溝型の下部レール５Ａと、図７に示すように１つの部屋を複数の空間に仕切るために床面４上に設置した浅溝型の下部レール５Ｂとを有している。本実施形態による吊り戸ユニット１は深溝型の下部レール５Ａと浅溝型の下部レール５Ｂとを選択的に走行可能なスライダー機構２を有している。
【００１５】
次に図１及び図２に示すように、深溝型の下部レール５Ａを備えた吊り戸ユニット１において、上部レール３は例えば天井１０に設けた直線状の上部凹溝１１内に嵌合されてねじ等で固定されており、上部レール３は下部が縮径して開口した断面略Ω字状であり、下端が先細り形状の車輪受け部３ａを形成している。そして、吊り戸７の上部には一対の車輪１２を備えた上部スライダー１３が固定されており、上部スライダー１３の一対の車輪１２が上部レール３の車輪受け部３ａ内に装着されて吊り戸７を吊り下げた状態で走行可能に支持されている。
【００１６】
また、図１に示す床面４における部屋と部屋の仕切り部分において、上部レール３に対向する位置に形成された仕切り溝８内に深溝型の下部レール５Ａが設置されている。下部レール５Ａにおいて、仕切り溝８内に嵌入された略Ｕ字状の溝部１５ａとその両側に形成されていて床面４上に載置される一対のフランジ部１５ｂとを一体形成した埋め込み敷居１６が装着されている。
更に、埋め込み敷居１６の溝部１５ａの開口には、溝部１５ａを塞ぐように深溝レール部１７が形成されている。深溝レール部１７は後述するスライダー２１の凸部２５を受け入れる深溝型のガイド溝１７ａと、その両側に形成した傾斜面を有する一対の肩受け部１７ｂとフランジ部１５ｂに係合する一対の係合部１７ｃと、を備えている。
凸部２５はガイド溝１７ａ内でその底面と接触していない。
【００１７】
次に吊り戸７の下部に設けられた下部スライダーとしてのスライダー２１について図３から図５に基づいて説明する。スライダー２１は吊り戸７の下部の長手方向両端に２組取り付けられていて（図３では一方のみを示している）、下部レール５Ａ、５Ｂの一方に選択的に載置されて吊り戸７を走行させるようになっている。
図３において、吊り戸７の下部に凹溝２０がその長手方向に沿って形成され、凹溝２０内の両端部にスライダー２１が嵌め込まれてねじ等で固定されている。図４において、スライダー２１は、略角筒形状で下面が開口している略コの字状断面を有すると共に下面が複数、図では６個の略四角形箱状の枠体に仕切られた筐体２２を有している。筐体２２の中央の枠体が中空のベース部２３であり上下に上部開口２３ａと下部開口２３ｂが形成されている。
【００１８】
ベース部２３の下部開口２３ｂはベース部２３の中間部分に対して幅狭に形成されており、ベース部２３内にはガイド２４が上下方向に摺動可能に装着されている。そして、図４に示すように、上部開口２３ａは板状の蓋部材２７によって閉鎖されており、蓋部材２７の裏面に設けた係止部２７ａａを有する一対の爪部２７ａが筐体２２の上面に形成した上部開口２３ａに挿入されて係止部２７ａａでその内側縁部２２ａ、２２ｂに係止されている。
【００１９】
ガイド２４は、図５に示すように上面から下側に向けて凹陥部として段付きの筒状凹部２４ａが一対形成され、上面には水平方向外側に突出していて下部開口２３ｂの両側受け部２３ｂｂに当接してガイド２４の脱落を防止する鍔部２４ｂがストッパーとして形成されている。
また、ガイド２４の下端面の中央には、下方に突出する凸部２５が長手方向に形成され、その幅方向両側には凸部２５より吊り戸７側に引っ込んだ一対の肩部２６が張り出して形成されている。凸部２５の先端面にはその長手方向にスリット状のスリット溝２５ａが形成され、凸部２５の先端面が浅溝型の下部レール５Ｂを摺動する際に、ごみ等がスリット溝２５ａに入り込んで付着すると摺動抵抗の増大を抑制できる。
【００２０】
ガイド２４において、凸部２５が図１及び図２に示すように深溝レール部１７のガイド溝１７ａ内に非接触で挿入された状態で、両側の肩部２６が肩受け部１７ｂに当接して摺動可能とされている。また、ガイド溝１７ａ内に挿入された凸部２５は側面がガイド溝１７ａのいずれかの内壁面に当接して走行可能としてもよく、この場合には吊り戸７の走行時等に凸部２５がガイド溝１７ａから外れることを確実に防止できる。
【００２１】
そして、スライダー２１の中空のベース部２３内にガイド２４を収納した状態で、一対の筒状凹部２４ａ内に弾性部材としてコイル状のばね２８をそれぞれ圧縮状態で挿入し、蓋部材２７で上部開口２３ａを閉塞する。しかも、蓋部材２７の裏面にはコイル状のばね２８内に挿入するようにガイド棒２７ｂが突出して形成されている。
これによって、一対のばね２８がガイド２４を下方に押圧して付勢している。しかも、ばね２８の付勢力はガイド２４をガイド棒２７ｂの延長上の下方に押圧するように働くことになる。
【００２２】
吊り戸７の下部に装着したスライダー２１のガイド２４は、図３（ａ）（ｂ）に示すように凸部２５と肩部２６が吊り戸７の下部から突出している。そして、下部レール５としての深溝型の下部レール５Ａと浅溝型の下部レール５Ｂとでは、これらに選択的に当接して摺動する凸部２５または肩部２６の下方への垂下位置が異なるため、ばね２８を圧縮させることでガイド２４の凸部２５と肩部２６の下部レール５Ａ、５Ｂへの当接位置を上下方向に調整できるようにしている。
また、吊り戸７が上部レール３に吊り下げられた状態で凸部２５または肩部２６に過大な負荷がかかった時には、ガイド２４でばね２８を圧縮してガイド２４をベース部２３内で上方に逃がすことができる。
【００２３】
また、ガイド２４の凸部２５及び肩部２６は図４（ａ）及び図５（ａ）に示す側面図で、それぞれ大径の半径Ｒ１、Ｒ２の円弧状に形成されて凸曲面状をなしている。この場合、半径Ｒ１とＲ２のいずれがより大径でもよいが、蓋部材２７に比較的近い肩部２６の半径Ｒ２の方が大径であることが好ましい。このような構成を採用することで、下部レール５Ａまたは５Ｂに当接して摺動する凸部２５または肩部２６の接触面積が凸曲面の一部となるため点接触または線接触して、接触抵抗を低減できる。
また、ガイド２４の凸部２５と肩部２６は長手方向だけでなく短手方向でも凸曲面状に形成してもよい。これによって、スライダー２１の摺動時に下部レール５Ａ，５Ｂとの接触抵抗を短手方向でも低減できる。
【００２４】
また、図４及び図６に示すスライダー２１の筐体２２において、ベース部２３の両側の上面２１ｂにはベース部２３の外側の枠部内に形成した複数の孔部３０が形成されており、これらの孔部３０を通してねじ等で、スライダー２１を吊り戸７の下部に形成した凹溝２０内の端部に固定できる。
また、スライダー２１の外側端部に設けた枠部として振れ止め枠部３１が設けられている。振れ止め枠部３１はその外側端部において両側の側壁に係止爪３１ａが形成されている。一方、図６に示す吊り戸７の枠体３２において、縦枠である戸枠３２ａの下端部には吊り戸７の下端部に設けたスライダー２１の振れ止め枠部３１に嵌合する突出部３３が形成されている。そのため、吊り戸７を走行させて枠体３２の戸枠３２ａに当接させると突出部３３が吊り戸７の振れ止め枠部３１に嵌合するため、吊り戸７を閉じた状態での吊り戸７の振れやバタツキを防止できる。
【００２５】
次に、下部レール５として浅溝型の下部レール５Ｂについて、図７及び図８に基づいて説明する。
図７において、例えば床面４上には１つの部屋または空間を仕切るための浅溝型の下部レール５Ｂが上部レール３に対向する位置に設置されている。下部レール５Ｂは床面４に固定された略Ｕ字型で浅溝型のガイド溝３５とその両側に設置されて床面４に当接するフランジ部３６とで構成された敷居である。
【００２６】
浅溝型の下部レール５Ｂは床面４の上に固定され、しかもガイド溝３５は深溝型の下部レール５Ａのガイド溝１７ａより深さが浅く形成されている。そして、吊り戸７の走行に際して、スライダー２１におけるガイド２４の凸部２５の先端面がガイド溝３５の底面に当接して摺動することになり、しかもガイド２４の肩部２６は下部レール５Ｂに当接しない。また、突部２５の側面はガイド溝３５のいずれかの内壁面に当接することで走行時に一層外れにくくなる。
【００２７】
そのため、スライダー２１のガイド２４は深溝型の下部レール５Ａを走行する場合よりも浅溝型の下部レール５Ｂを走行する場合の方が、ばね２８の付勢力に抗して上側に押圧され、その反力で凸部２５がガイド溝３５の底面を強く押圧する。
また、深溝型の下部レール５Ａのガイド溝１７ａの深さをＬａとし、浅溝型の下部レール５Ｂのガイド溝３５の深さをＬｂとして、
Ｌａ>Ｌｂ
に設定されている。そして、凸部２５の長さはガイド溝１７ａの深さＬａより短く、ガイド溝３５の深さＬｂより長い。
なお、本実施形態による吊り戸ユニット１において、スライダー２１と深溝型の下部レール５Ａ及び浅溝型の下部レール５Ｂとの選択的な摺動機構をスライダー機構というものとする。
【００２８】
本実施形態による吊り戸ユニット１は上述した構成を備えており、次に吊り戸ユニット１における吊り戸７の走行方法について説明する。
本実施形態による吊り戸ユニット１において、吊り戸７を上部レール３に上部スライダー１３の一対の車輪１２を吊り下げて走行する場合、下部レール５が深溝型の下部レール５Ａか浅溝型の下部レール５Ｂかによってガイド２４の当接する位置が異なる。
【００２９】
例えば深溝型の下部レール５Ａを吊り戸７が走行する場合、図１及び図２に示すように、深溝レール部１７のガイド溝１７ａ内にガイド２４の凸部２５が挿入されて保持され、凸部２５の両側の肩部２６がガイド溝１７ａの両側の肩受け部１７ｂに当接して、肩受け部１７ｂで吊り戸７の一部の荷重を受けて摺動しながら走行する。
また、図６に示すように、吊り戸７が開閉されて枠体３２の戸枠３２ａに当接することで戸枠３２ａの下端に設けた突出部３３にスライダー２１の振れ止め枠部３１が嵌合する。この状態で、戸枠３２ａへの当接時における吊り戸７の振れを防止できる。
【００３０】
また、例えば上部レール３に吊り戸７を設置して、吊り戸７が浅溝型の下部レール５Ｂの上を走行する場合、図７及び図８に示すように、床面４上に固定した浅溝型の下部レール５Ｂのガイド溝３５内の底面にスライダー２１のガイド２４における凸部２５の先端面が当接する。この場合、浅溝型の下部レール５Ｂは深溝型の下部レール５Ａよりも床面４の上側に位置するため、ガイド２４はスライダー２１のばね２８の付勢力に抗してベース部２３に対して上側に持ち上げられて凸部２５がガイド溝３５の底面に当接する。なお、ガイド２４の肩部２６はガイド溝３５やフランジ部３６に非接触の状態になる。
この状態で、吊り戸７は凸部２５が下部レール５Ｂのガイド溝３５上を摺動して走行する。なお、浅溝型の下部レール５Ｂの戸枠３２ａにも突出部３３を設けてもよい。
【００３１】
上述のように本実施形態による吊り戸ユニット１のスライダー機構２によれば、下部レール５が深溝型の下部レール５Ａと浅溝型の下部レール５Ｂのいずれの場合でも、同一のガイド２４の凸部２５と肩部２６の一方を選択的に摺動させて走行させることができる。  しかも、その際、深溝型の下部レール５Ａと浅溝型の下部レール５Ｂの高さが異なっていても、ガイド２４内に設けたばね２８の弾性によってガイド２４の高さを調整することで対応させることができる。
【００３２】
また、戸枠３２ａに突出部３３を設け、吊り戸７のスライダー２１の外側端部に突出部３３に嵌合する振れ止め枠部３１を設けたため、戸閉まり状態で例えば風が吹いた時に吊り戸７の厚み方向の振れやバタツキ等を小さく規制できる。
また、ガイド２４における凸部２５の先端面にスリット溝２５ａを形成したため、凸部２５が浅溝型の下部レール５Ｂのガイド溝３５の底面を走行する際、底面にごみ等が落ちていたとしても凸部２５の先端面からスリット溝２５ａに入り込んで付着すると摺動抵抗の増大を抑制できる。
【００３３】
なお、本発明による吊り戸ユニット１は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００３４】
例えば、上述した実施形態では、ガイド２４は凸部２５の両側に肩部２６を設けて、深溝型の下部レール５Ａにおけるガイド溝１７ａの両側の肩受け部１７ｂを走行するように構成したが、肩部２６や肩受け部１７ｂは少なくとも片側に設けられていれば吊り戸７を摺動可能である。
なお、戸枠３２ａの突出部３３やスライダー２１の振れ止め枠部３１は設けなくてもよい。
【００３５】
また、上述した実施形態では、ガイド２４の凸部３５と肩部２６を摺動方向に同一長さに形成したが、必ずしも同一長さである必要はない。例えば、肩部２６に対して凸部２５の摺動方向の長さを短く設定してもよい。
また、スライダー２１において、ベース部２３にガイド２４を嵌挿して蓋部材２７との間にばね２８を装着してガイド２４を下向きに付勢するように構成したが、必ずしもばね２８等の弾性部材を設ける必要はない。例えば、ばね２８を省略してガイド２４が自重で降下するように構成してもよく、この場合でも、深溝型の下部レール５Ａと浅溝型の下部レール５Ｂのいずれの場合にも本発明のスライダー２１を適用できる。
【００３６】
また、上述した実施形態ではスライダー２１は吊り戸７の下部両端にそれぞれ設置したが、スライダー２１の設置数は２個に限定されるものではなく、３個以上設置してもよいし、１個でもよい。
また、本発明によるスライダー２１とスライダー機構２を設置する建具としては吊り戸７に限定されるものではなく、引き戸等でもよい。
【符号の説明】
【００３７】
１  吊り戸ユニット
２  スライダー機構
３  上部レール
４  床面
７  吊り戸
５  下部レール
５Ａ  深溝型の下部レール
５Ｂ  浅溝型の下部レール
１７ａ、３５  ガイド溝
１７ｂ  肩受け部
２１  スライダー
２３  ベース部
２４  ガイド
２５  凸部
２５ａ  スリット溝
２６  肩部
２７  蓋部材
２８  ばね
【図１】
2016121507.tif 000003
【図２】
2016121507.tif 000004
【図３】
2016121507.tif 000005
【図４】
2016121507.tif 000006
【図５】
2016121507.tif 000007
【図６】
2016121507.tif 000008
【図７】
2016121507.tif 000009
【図８】
2016121507.tif 000010